(57)【特許請求の範囲】
【請求項１】
先端にブラシを設けた塗布具本体と、一端を開放する一方、他端を閉塞し、前記ブラシを前記開放端から挿入し前記塗布具本体に着脱可能に装着するようなした筒状のキャップとからなるブラシ式塗布具であって、前記キャップは、内部に移動可能にボールを入れ、ブラシ挿入側を開放した塗布液収容部と、この塗布液収容部の前記開放端を閉塞するとともに、前記ボールより小径の塗布液通過孔を設けた仕切り板を有し、この仕切り板の前記塗布液収容部とは反対側に液溜を設けたブラシ保護リングと、このブラシ保護リングの前記液溜側に隣接するよう配置し、ワイパー孔を先端に有するテーパー状のワイパー筒を設けたワイパー部材と、先端が前記ワイパー部材の内側に位置するよう配置し、キャップへの挿入時においてブラシ先端の移動をガイドするテーパー状のガイド筒を有するガイド部材とを備え、キャップを塗布具本体に装着した状態において、ブラシ先端及びその近傍が前記ワイパー孔を経て前記液溜内に存置することを特徴とするブラシ式塗布具。
【請求項２】
ワイパー部材を柔軟材料で形成するとともに、このワイパー部材のワイパー孔を三角形状としたことを特徴とする請求項１に記載のブラシ式塗布具。
【発明の詳細な説明】
【技術分野】
【０００１】
本発明は、ラメ入り液状化粧料などの粘度の高い化粧料を塗布するためのアイライナーなどのブラシ式塗布具に関する。
【背景技術】
【０００２】
従来の塗布液収容部を備える塗布具、例えばアイライナーは、ペンシル型のアイライナー本体先端に、ナイロンを固めて構成したりフエルトで構成した塗布部材を設けるとともに、前記アイライナー本体内に、前記塗布部材に連通する塗布液収容部を設け、この塗布液収容部内の塗布液を前記塗布部材に向けて押し出すための押圧手段を設けてなる、いわゆる中線方式のものが一般的である（特許文献１参照。）。
【特許文献１】実開昭６３−１０１５８７号公報
【発明の開示】
【発明が解決しようとする課題】
【０００３】
前記従来の中線式アイライナーは、液状化粧料を塗布部材に向けて押し出すための押圧手段の構造が複雑なため、製造費が高くかつ破損し易いうえ、塗布部材がナイロンを固めて構成したりフエルトで構成してあるので、繊細なラインを描きにくいとともに、塗布液収容部内の塗布液が前記塗布部材先端まで達しにくい、という問題があった。
【０００４】
本発明は、上記問題を解消することを課題とし、該課題を解決したブラシ式塗布部を提供することを目的とする。
【課題を解決するための手段】
【０００５】
上記目的を達成するために、請求項１に記載の本発明は、先端にブラシを設けた塗布具本体と、一端を開放する一方、他端を閉塞し、前記ブラシを前記開放端から挿入し前記塗布具本体に着脱可能に装着するようなした筒状のキャップとからなるブラシ式塗布具であって、前記キャップは、内部に移動可能にボールを入れ、ブラシ挿入側を開放した塗布液収容部と、この塗布液収容部の前記開放端を閉塞するとともに、前記ボールより小径の塗布液通過孔を設けた仕切り板を有し、この仕切り板の前記塗布液収容部とは反対側に液溜を設けたブラシ保護リングと、このブラシ保護リングの前記液溜側に隣接するよう配置し、ワイパー孔を先端に有するテーパー状のワイパー筒を設けたワイパー部材と、先端が前記ワイパー部材の内側に位置するよう配置し、キャップへの挿入時においてブラシ先端の移動をガイドするテーパー状のガイド筒を有するガイド部材とを備え、キャップを塗布具本体に装着した状態において、ブラシ先端及びその近傍が前記ワイパー孔を経て前記液溜内に存置するものである。
【０００６】
また、請求項２に記載の本発明は、ワイパー部材を柔軟材料で形成するとともに、このワイパー部材のワイパー孔を三角形状としたものである。
【発明の効果】
【０００７】
上記請求項１に係る発明の塗布具は、ブラシによって塗布動作を行うので、繊細なラインを描き易いとともに、従来のような塗布液収容部内の塗布液を塗布部材に向けて押し出すための複雑な機構をもつ押圧手段を用いないので、製造費が安くかつ破損しにくいうえ、塗布液収容部内にボールを入れたので、塗布具の天地を変える動作を行いボールを移動させることによって、塗布液収容部内に収容された塗布液であるラメ入り液状化粧料などの粘度の高い化粧料を掻き混ぜて均一化することができ、また、掻き混ぜ用のボールはブラシ保護リングの仕切り板により液留め内に入らないので、ボールがブラシ先端に当たって破損することを防ぐことかでき、さらに、ガイド部材を設けたので、塗布具本体にキャップを挿入する際に、ブラシ先端が液溜に向けて正しく移動するようガイドすることができるという効果を奏する。
【０００８】
また、請求項２に係る発明は、ワイパー部材を柔軟材料で形成するとともに、そのワイパー孔を三角形状としたので、ブラシの先端から吸い上げられた液状化粧料に前記三角形状のワイパー孔縁において強い表面張力が生じ、前記ワイパー孔の外側に滲出した塗布液が膜状となり、ガイド部材側に漏れ出さないという効果を奏する。
【発明を実施するための最良の形態】
【０００９】
次に、本発明をアイライナーに適用した好適な実施形態を添付図面の図１〜図６に基づいて詳細に説明する。ここにおいて、図１は縦断正面図、図２は図１の拡大Ａ−Ａ線断面図、図３はブラシ保護リングの拡大縦断正面図、図４はワイパー部材の拡大縦断正面図、図５はワイパー部材の拡大側面図、図６はガイド部材の拡大縦断正面図である。
【００１０】
図１及び図２に示すように、塗布具１は、先端にブラシ２を設けた有底円筒状の塗布具本体３と、一端を開放する一方、他端を閉塞し、前記ブラシ２を前記開放端から挿入し、前記塗布具本体３に着脱可能に装着するようなした筒状のキャップ４とからなる。
【００１１】
図１〜図６に示すように、キャップ４は、移動可能に金属製のボール５を入れ、ブラシ２挿入側を開放した、ラメ入りアイライン用の塗布液（図示せず）を充填する塗布液収容部６と、この塗布液収容部６の前記開放端に当接して閉塞するとともに、前記ボール５より小径の塗布液通過孔７を設けた仕切り板８を有し、この仕切り板８の前記塗布液収容部６とは反対側に液溜９を設けたブラシ保護リング１０と、このブラシ保護リング１０の前記液溜９側に隣接するよう配置し、ワイパー孔１１を先端に有するテーパー状のワイパー筒１２を設けたワイパー部材１３と、このワイパー部材１３に隣接するよう配置し、キャップ４へのブラシ２挿入時においてブラシ２先端の移動をガイドするテーパー状のガイド筒１４を設けたガイド部材１５とを備える。そして、このキャップ４は、塗布具本体３に装着した状態において、ブラシ２先端が前記ワイパー孔１１を経て前記液溜９内にあるように構成する。
【００１２】
図３に示すように、ブラシ保護リング１０は、前記キャップ４内壁に密接する円筒状の周壁１６を有するとともに、中央に前記ボール５より小径で塗布液を通過させるための塗布液通過孔７を設けた仕切り板８を有し、この仕切り板８と前記周壁１６とによって塗布液収容部６の外部に位置して液溜９を形成する。この液留９の仕切り板８とは反対側は開放状態になっている。
【００１３】
図４及び図５に示すように、ワイパー部材１３は、柔軟材料であるシリコンで構成され、その端縁１７ａが前記ブラシ保護リング１０の周壁１６の端縁１６ａに当接し、その外周面が前記キャップ４内壁に密接する円筒状の周壁１７を有する。また、ワイパー部材１３のテーパー状のワイパー筒１２は、前記ブラシ保護リング１０の前記液溜９の前記開放端を閉塞するように配置されるとともに、その先端のワイパー孔１１は、ほぼ三角形に形成され、ブラシ保護リング１０の液溜９内に位置する。
【００１４】
図６に示すように、ガイド部材１５は、先端にガイド孔１８を設けたテーパー状のガイド筒１４と、その端縁１９ａが前記ワイパー部材１３の周壁１７の前記端縁１７ａとは反対側の端縁１７ｂに当接し、その外周面が前記キャップ４内壁に密接する円筒状の周壁１９とを有する。また、このガイド部材１５の前記ガイド筒１４先端は、前記ワイパー部材１３内側に位置する。
【００１５】
図１に示すように、塗布具本体３は、その一端に設けた支持部２０にブラシ２を支持してあり、また、該塗布具本体３の、前記支持部２０基端に対応する外周に雄螺旋２１を設けてある。この雄螺旋２１は、前記キャップ４のブラシ挿入端部近傍の内周に設けた雌螺旋２２と螺合させ、キャップ４を塗布具本体３に装着するためのものである。
【００１６】
続いて、以上のように構成した塗布具１の使用態様を以下に説明する。先ず、キャップ装着状態において、塗布具１の天地を入れ替えるようにようにして、塗布液収容部６の塗布液内でボール５を移動させることによって、前記塗布液は掻き混ぜられ、ラメが塗布液中で均等に分布する。なお、前記塗布液収容部６内で移動するボール５は、ブラシ保護リング１０の塗布液通過孔７より径が大きいので、ブラシ保護リング１０の液溜９には入ることがなくブラシ２先端には接触しないから、ブラシ２先端を傷めることがない。一方、塗布液収容部６に充填した塗布液は、前記塗布液通過孔７を通ってブラシ保護リング１０の液留９に入り込んだ状態となっており、ブラシ２の先端及び先端近傍が液溜９内の塗布液に浸った状態となり、該ブラシ２の先端及び先端近傍に塗布液が付着する。前記ブラシ２に付着した塗布液は、ワイパー孔１１の外側縁部（ガイド部材１５側縁部）に染み出ても、表面張力により膜状となり漏れることはない。前記表面張力は、ワイパー孔１１の三角形の辺が直線であるため強く、塗布液がワイパー筒１２内に連続的に滲出しないのである。なお、例えばワイパー孔１１が円形の場合には、ワイパー孔１１の外側縁に滲出した塗布液の表面張力が弱く、塗布液がワイパー筒１２内に連続的に滲出しやすい。さらに、前記ワイパー部材１３は柔軟材料であるシリコンで構成されているので、ワイパー孔１１縁部でブラシ２の先端部近傍を締め付ける作用があり、該ワイパー孔１１縁部とブラシ２の先端近傍間に隙間ができにくく、このことによっても塗布液の漏れを防いでいる。使用者は、キャップ４を脱却し、塗布液が付着したブラシ２を使ってアイラインを引くことができる。
【００１７】
次に、使用後は、塗布具本体３にキャップ４を挿入すると、ブラシ２先端がガイド部材１５のガイド筒１４内壁にガイドされつつ、該ガイド孔１８を通ってワイパー部材１３内側に入る。ガイド筒１４はテーパー状なので、ブラシ２先端が円滑にガイドされバラけることはない。ワイパー部材１３内側に入った前記ブラシ２先端は、さらに進んでワイパー筒１２に導かれてワイパー孔１１を通りブラシ保護リング１０の液溜９に入る。そして、塗布具本体３とキャップ４の雄螺旋２１と雌螺旋２２とを螺合させて固定し、キャップ装着が完了する。このキャップ装着状態においては、ブラシ２先端部とその近傍が液溜９内に存置し、該先端部が塗布液収容部６内には突出しない。
【００１８】
なお、本発明は、上記実施形態になんら限定されるものではなく、例えば、前記実施形態ではアイライナーに適用したが、粘度の大きい他の化粧料の塗布具などに適用してもよい。
【図面の簡単な説明】
【００１９】
【図１】縦断正面図。
【図２】拡大Ａ−Ａ線断面図。
【図３】ブラシ保護リングの拡大縦断正面図。
【図４】ワイパー部材の拡大縦断正面図。
【図５】ワイパー部材の側面図。
【図６】ガイド部材の拡大縦断正面図。
【符号の説明】
【００２０】
１    塗布具
２    ブラシ
３    塗布具本体
４    キャップ
５    ボール
６    塗布液収容部
７    塗布液通過孔
８    仕切り板
９    液溜
１０    ブラシ保護リング
１１    ワイパー孔
１２    ワイパー筒
１３    ワイパー部材
１４    ガイド筒
１５    ガイド部材
１６    周壁
１６ａ    端縁
１７    周壁
１７ａ    端縁
１７ｂ    端縁
１８    ガイド孔
１９    周壁
１９ａ    端縁
２０    支持部
２１    雄螺旋
２２    雌螺旋
【図１】
0005264117.tif 000002
【図２】
0005264117.tif 000003
【図３】
0005264117.tif 000004
【図４】
0005264117.tif 000005
【図５】
0005264117.tif 000006
【図６】
0005264117.tif 000007